(57)【要約】【課題】ユーザがカスタマイズした後の筐体に適した音響特性にイコライザのパラメータを設定する。【解決手段】この音響特性調整システムは、スピーカー及びイコライザが搭載された移動通信端末と、移動通信端末と通信可能な音響特性補正サーバとを備える。音響特性補正サーバは、スピーカーがパラメータ調整用の音源参照データを再生した再生音に基づいて、イコライザのパラメータの設定が適切になされているか否かを検証する音響検証手段と、パラメータ検証手段の検証結果に基づいて、イコライザのパラメータを設定する音響調整手段と、を備える。音響検証手段に再生音の検証をさせ、音響調整手段にパラメータの設定をさせる音響調整処理を、移動通信端末の出荷後に、移動通信端末又は音響特性補正サーバのユーザの操作により開始する。【選択図】図２
2012094958.tif 000002
【特許請求の範囲】
【請求項１】
スピーカー及びイコライザが搭載された移動通信端末と、前記移動通信端末と通信可能な音響特性補正サーバとを備え、
前記音響特性補正サーバは、
前記スピーカーがパラメータ調整用の音源参照データを再生した再生音に基づいて、前記イコライザの前記パラメータの設定が適切になされているか否かを検証する音響検証手段と、
前記パラメータ検証手段の検証結果に基づいて、前記イコライザのパラメータを設定する音響調整手段と、を備え、
前記音響検証手段に前記再生音の検証をさせ、前記音響調整手段に前記パラメータの設定をさせる音響調整処理を、前記移動通信端末の出荷後に、前記移動通信端末又は前記音響特性補正サーバのユーザの操作により開始する音響特性調整システム。
【請求項２】
前記音響特性補正サーバ及び前記移動通信端末のうち少なくとも一方は、周囲の雑音を集音し、雑音レベルがしきい値以上であるか否か判定する周囲雑音測定手段を備え、
前記音響特性調整システムは、前記ユーザの操作を受け付けると、前記音響調整処理の前に、前記周囲雑音測定手段によって前記マイクによって周囲の雑音を集音し、集音された前記雑音レベルが前記しきい値よりも小さい場合には、前記音響調整処理を開始する、請求項１に記載の音響特性調整システム。
【請求項３】
前記音響特性補正サーバは、前記音源参照データを前記移動通信端末に再生させた場合の理想的な再生音となる再生後音源参照データを格納した格納手段を備え、
前記音響検証手段は、前記再生音を録音した前記録音データと前記再生後音源参照データとを比較することで、前記イコライザの前記パラメータの設定が適切になされているか否かを検証する、請求項１又は２に記載の音響特性調整システム。
【請求項４】
前記音響調整手段によって、前記イコライザの前記パラメータの設定が適切になされていると判定されるまで、前記スピーカー音響調整処理を繰り返し実行する、請求項１乃至３のうちいずれか１項に記載の音響特性調整システム。
【請求項５】
前記音響特性補正サーバは、前記音源参照データを格納するメモリを備え、
前記移動通信端末は、前記音響特性補正サーバより前記音源参照データをダウンロード又はストリーミングする、請求項１乃至４のうちいずれか１項に記載の音響特性調整システム。
【請求項６】
前記再生音は、前記移動通信端末に搭載されているマイク、又は前記音響特性補正サーバと通信可能な外部のパーソナルコンピュータに設けられているマイクにより集音される、請求項１乃至５のうちいずれか１項に記載の音響調整システム。
【請求項７】
移動通信端末に搭載されたスピーカーに入力される入力信号のイコライズ処理を行うイコライザのパラメータの設定を行う音響調整方法であって、
前記スピーカーがパラメータ調整用の音源参照データを再生した再生音に基づいて、前記イコライザの前記パラメータの設定が適切になされているか否かを検証し、
検証結果に基づいて、前記イコライザのパラメータを設定し、
前記再生音の検証をさせ、前記パラメータの設定をさせる音響調整処理を、前記移動通信端末の出荷後に、前記移動通信端末又は前記音響特性補正サーバのユーザの操作により開始する、音響特性調整方法。
【請求項８】
移動通信端末に搭載されたスピーカーに入力される入力信号のイコライズ処理を行うイコライザのパラメータの設定を行う音響特性補正サーバであって、
前記スピーカーがパラメータ調整用の音源参照データを再生した再生音に基づいて、前記イコライザの前記パラメータの設定が適切になされているか否かを検証する音響検証手段と、
前記パラメータ検証手段の検証結果に基づいて、前記イコライザのパラメータを設定する音響調整手段と、を備え、
前記音響検証手段に前記再生音の検証をさせ、前記音響調整手段に前記パラメータの設定をさせる音響調整処理を、前記移動通信端末の出荷後に、前記移動通信端末又は前記音響特性補正サーバのユーザの操作により開始する、音響特性補正サーバ。
【請求項９】
移動通信端末に搭載されたスピーカーと、
前記スピーカーに入力される入力信号のイコライズ処理を行うイコライザと、
前記スピーカーがパラメータ調整用の音源参照データを再生した再生音に基づいて、前記イコライザの前記パラメータの設定が適切になされているか否かを検証する音響検証手段と、
前記パラメータ検証手段の検証結果に基づいて、前記イコライザのパラメータを設定する音響調整手段と、を備え、
前記音響検証手段に前記再生音の検証をさせ、前記音響調整手段に前記パラメータの設定をさせる音響調整処理を、前記移動通信端末の出荷後に、前記移動通信端末又は前記音響特性補正サーバのユーザの操作により開始する、移動通信端末。
【発明の詳細な説明】
【技術分野】
【０００１】
本発明は、移動通信端末の音響特性調整システムに関する。
【背景技術】
【０００２】
今般、携帯電話端末等の移動通信端末における音楽再生や動画再生などのマルチメディア機能の需要の高まりに伴い、携帯電話端末に実装されるスピーカーで高音質な音源参照データの再生を行うニーズも高まっている。携帯電話端末のスピーカーによる音の再生は、筐体の薄型化などにより、筐体自身の持つ特性による影響を顕著に受けるため、筐体の特性に適合するような調整が必須とされる。携帯電話端末の開発においては、特定の周波数帯域を抑制するなど、筐体の特性に適合するようにイコライザ処理することにより、スピーカーから出力される音の調整を行っている（例えば、特許文献１）。
【先行技術文献】
【特許文献】
【０００３】
【特許文献１】特開２００１−２４５０２１号公報
【発明の概要】
【発明が解決しようとする課題】
【０００４】
一方、ユーザは、購入した携帯電話を、ユーザ自身の好みに応じて、筐体の外装に独自にデコレーションを施すなどして、カスタマイズすることも多い。その結果、音響特性が変化し、開発時に調整された音響特性を得られない場合がある。
【０００５】
一般的に、ユーザが自身で音響特性を補正する場合は、携帯電話に実装されているイコライザを手動で設定・調整することが必要となる。しかしながら、ユーザができるイコライザの調整範囲は限られていたり、ユーザが主観的に調整するため補正の精度に限界がある。そのため、カスタマイズ後の携帯電話に適した音響を得るのは困難であるという問題点を有する。
【０００６】
本発明は、このような問題点に対してなされたものであり、ユーザが、移動通信端末の外装等をカスタマイズすることによって製品出荷時から、筐体の音響特性が変化した場合であっても、カスタマイズ後の筐体に適した音響を得ることができる移動通信端末の音響特性調整システムを提供することを目的とする。
【課題を解決するための手段】
【０００７】
本発明に係る音響特性調整システムは、スピーカー及びイコライザが搭載された移動通信端末と、前記移動通信端末と通信可能な音響特性補正サーバとを備える。前記音響特性補正サーバは、前記スピーカーがパラメータ調整用の音源参照データを再生した再生音に基づいて、前記イコライザの前記パラメータの設定が適切になされているか否かを検証する音響検証手段と、前記パラメータ検証手段の検証結果に基づいて、前記イコライザのパラメータを設定する音響調整手段と、を備える。前記音響検証手段に前記再生音の検証をさせ、前記音響調整手段に前記パラメータの設定をさせる音響調整処理を、前記移動通信端末の出荷後に、前記移動通信端末又は前記音響特性補正サーバのユーザの操作により開始する。
【０００８】
また、本発明に係る音響特性調整方法は、移動通信端末に搭載されたスピーカーに入力される入力信号のイコライズ処理を行うイコライザのパラメータの設定を行う音響調整方法であって、前記スピーカーがパラメータ調整用の音源参照データを再生した再生音に基づいて、前記イコライザの前記パラメータの設定が適切になされているか否かを検証し、検証結果に基づいて、前記イコライザのパラメータを設定し、前記再生音の検証をさせ、前記パラメータの設定をさせる音響調整処理を、前記移動通信端末の出荷後に、前記移動通信端末又は前記音響特性補正サーバのユーザの操作により開始することを特徴とする。
【０００９】
また、本発明に係る音響特性補正サーバは、移動通信端末に搭載されたスピーカーに入力される入力信号のイコライズ処理を行うイコライザのパラメータの設定を行う音響特性補正サーバであって、前記スピーカーがパラメータ調整用の音源参照データを再生した再生音に基づいて、前記イコライザの前記パラメータの設定が適切になされているか否かを検証する音響検証手段と、前記パラメータ検証手段の検証結果に基づいて、前記イコライザのパラメータを設定する音響調整手段と、を備え、前記音響検証手段に前記再生音の検証をさせ、前記音響調整手段に前記パラメータの設定をさせる音響調整処理を、前記移動通信端末の出荷後に、前記移動通信端末又は前記音響特性補正サーバのユーザの操作により開始することを特徴とする。
【００１０】
また、本発明に係る移動通信端末は、移動通信端末に搭載されたスピーカーと、前記スピーカーに入力される入力信号のイコライズ処理を行うイコライザと、前記スピーカーがパラメータ調整用の音源参照データを再生した再生音に基づいて、前記イコライザの前記パラメータの設定が適切になされているか否かを検証する音響検証手段と、前記パラメータ検証手段の検証結果に基づいて、前記イコライザのパラメータを設定する音響調整手段と、を備え、前記音響検証手段に前記再生音の検証をさせ、前記音響調整手段に前記パラメータの設定をさせる音響調整処理を、前記移動通信端末の出荷後に、前記移動通信端末又は前記音響特性補正サーバのユーザの操作により開始する、ことを特徴とする。
【発明の効果】
【００１１】
本発明に係る移動通信端末の音響特性調整システム、音響特性調整方法、音響特性補正サーバ又は移動通信端末によれば、ユーザが、移動通信端末製品出荷後に外装等をカスタマイズすることによって筐体の音響特性が変化した場合であっても、カスタマイズ後の筐体に適した音響特性を得ることができる。
【図面の簡単な説明】
【００１２】
【図１】本発明の実施の形態１に係る音響特性調整システムを含む全体構成を示す図である。
【図２】本発明の実施の形態１に係る音響特性調整システムの構成を示す機能ブロック図である。
【図３】本発明の実施の形態１に係る音響特性調整システムにおける携帯電話端末の構成を示す機能ブロック図である。
【図４】本発明の実施の形態１に係る音響特性調整システムにおける音響特性補正サーバの構成を示す機能ブロック図である。
【図５】本発明の実施の形態１に係る音響特性調整システムにおける携帯電話端末の動作を示すフローチャートである。
【図６】本発明の実施の形態１に係る音響特性調整システムにおける音響特性補正サーバの動作を示すフローチャートである。
【図７】本発明の実施の形態２に係る携帯電話端末の構成を示す機能ブロック図である。
【発明を実施するための形態】
【００１３】
以下、添付した図面を参照し、本発明の最良な実施の形態について説明する。
実施の形態１．
図１は、本発明の実施の形態１に係る音響特性調整システムを含む全体構成を示す図である。本実施の形態に係る音響特性調整システムは、携帯電話、ＰＤＡ（Ｐｅｒｓｏｎａｌ  Ｄｉｇｉｔａｌ  Ａｓｓｉｓｔａｎｔ）等の移動通信端末に搭載されるスピーカーの音響調整を行うイコライザのパラメータを設定するものである。以下では、音響調整対象である移動通信端末を、携帯電話端末１であるとして説明を行う。
【００１４】
この音響特性調整システムは、携帯電話端末１と音響特性補正サーバ２を備えている。携帯電話端末１は、移動通信網３を介して、公衆ＩＰ（Ｉｎｔｅｒｎｅｔ  Ｐｒｏｔｃｏｌ）網４に接続することができる。公衆ＩＰ網４には、音響特性補正サーバ２が接続されている。音響特性補正サーバ２は、携帯電話端末１と通信を行うことにより、携帯電話端末１のイコライザのパラメータを調整し、携帯電話端末１のスピーカーから出力される音の調整を行う。
【００１５】
図２は、本発明の実施の形態１に係る音響特性調整システムの構成を示す図である。この音響特性調整システム１００は、携帯電話端末１と音響特性補正サーバ２により構成される。携帯電話端末１は、スピーカー１０６及びイコライザ１１を備えている。スピーカー１０６は、通常の動作時において、ダウンロードされた音楽コンテンツ等の音データの再生を行なう。また、スピーカー１０６は、音響調整時において、音響特性補正サーバ２からダウンロード又はストリーミングされた、パラメータ調整用の音源参照データを再生する。イコライザ１１は、スピーカー１０６に入力されるダウンロードされた音データ等の入力信号に、イコライズ処理を実行する。イコライザ１１に設定されるパラメータは、音響特性補正サーバ２の音響調整手段２２によって生成される設定データによって調整される。
【００１６】
音響特性補正サーバ２は、音響検証手段２１と音響調整手段２２を備えている。音響検証手段２１は、スピーカー１０６がパラメータ調整用の音源参照データを再生した再生音に基づいて、イコライザ１１のパラメータ設定が適切になされているか否かを検証する。音響調整手段２２は、パラメータ検証手段２１の検証結果に基づいて、イコライザ１０３のパラメータを設定する設定データを生成する。ここで、音響検証手段２１に再生音の検証をさせ、音響調整手段２２にパラメータの設定をさせる一連の処理を、音響調整処理と呼ぶ。本発明では、携帯電話端末１の製品出荷後に、移動通信端末１又は音響特性補正サーバ２のユーザの操作をトリガとして、この音響調整処理が開始される。
【００１７】
図３は、本発明の実施の形態１に係る音響特性調整システムの携帯電話端末１の構成を示す機能ブロック図である。携帯電話端末１は、無線インタフェース１０１、メモリ１０２、イコライザ処理部１０３、再生処理部１０４、ＤＡＣ（Ｄｉｇｉｔａｌ  Ａｎａｌｏｇ  Ｃｏｎｖｅｒｔｅｒ）１０５、スピーカー１０６、メモリ１１１、録音処理部１１０、周囲雑音レベル測定部１０９、ＡＤＣ（Ａｎａｌｏｇ  Ｄｉｇｉｔａｌ  Ｃｏｎｖｅｒｔｅｒ）１０８、及びマイク１０７を備えている。
【００１８】
無線インタフェース１０１は、移動通信網３及び公衆ＩＰ網４を介して、音響特性補正サーバ２とデータの送受信を行なう。メモリ１０２は、音響特性補正サーバ２から受信された、後述する音響調整用の音源参照データや、イコライザ１１のパラメータを設定するための設定データを格納する。イコライザ処理部１０３は、通常の動作時において、ダウンロードされた音楽コンテンツ等の音データに設定データによって設定されたパラメータによってイコライズ処理を施す。また、イコライザ処理部１０３は、音響調整時において、設定データに基づいて、メモリ１０２に格納された音源参照データに対してイコライザ処理を施す。再生処理部１０４は、音響調整時において、イコライザ処理が施された音源参照データを、ＤＡＣ１０５に送出する。ＤＡＣ１０５は、イコライザ処理が実施された音源参照データをアナログデータに変換し、スピーカー１０６に出力する。スピーカー１０６は、ＤＡＣ１０５によって変換されたアナログデータを出力する。これにより、スピーカー１０６から再生音が出力される。
【００１９】
マイク１０７は、スピーカー１０６から出力された再生音を、アナログデータとして集音する。また、マイク１０７は、スピーカー１０６によって再生音が出力される前に、事前に周囲の雑音をアナログデータとして集音する。ＡＤＣ１０８は、マイク１０７によって集音された再生音や雑音のアナログデータを、デジタルデータに変換する。ここで、音源参照データの再生音が録音されたデジタルデータを録音データと呼ぶ。周囲雑音レベル測定部１０９は、再生音の出力前に事前に集音された雑音の大きさを測定する。録音処理部１１０は、周囲雑音レベル測定部１０９によって測定された雑音レベルがしきい値以下である場合には、音源参照データの再生音が録音された録音データを、メモリ１１１に保存すると共に、無線インタフェース１０１を介して音響特性補正サーバ２に送信する。
【００２０】
図４は、本発明の実施の形態１に係る音響特性補正サーバ２の構成を示す機能ブロック図である。音響特性補正サーバ２は、通信インタフェース２０１、メモリ２０２、イコライザパラメータ算出部２０５、補正通知制御部２０６、メモリ２０３及び差分比較部２０４を備えている。イコライザパラメータ算出部２０５は、図２の音響調整手段２２に相当する。差分比較部２０４は、図２の音響検証手段２１に相当する。
【００２１】
通信インタフェース２０１は、携帯電話端末１に対し、メモリ２０３に格納された音源参照データを送出する。また、通信インタフェース２０１は、イコライザパラメータ算出部２０５によって算出されたイコライザ１１のパラメータを設定する設定データを、携帯電話端末１に送信する。また、通信インタフェース２０１は、携帯電話端末１から送られる音源参照データの再生音の録音データを受信する。メモリ２０２は、通信インタフェース２０１を介して、携帯電話端末１から送られた録音データを格納する。
【００２２】
メモリ２０３には、通信インタフェース２０１を介して携帯電話端末１に送出される、音源参照データが格納されている。また、メモリ２０３には、音源参照データを携帯電話端末１のスピーカー１０６に再生させた場合の、理想的な再生音となる再生後音源参照データが格納されている。差分比較部２０４は、携帯電話端末１に対して送信された音源参照データに対応する再生後音源参照データと、当該携帯電話端末１から受信された録音データとを比較し、その差分を算出する。
【００２３】
イコライザパラメータ算出部２０５は、差分比較部２０４によって算出された再生後音源参照データと録音データとの差分に基づいて、携帯電話端末１のイコライザに設定すべきパラメータを決定し、設定データとして通信インタフェース２０１を介して携帯電話端末１に送信する。補正通知制御部２０６は、差分比較部２０４によって算出される再生後音源参照データと録音データとの差分が、しきい値以下である場合には、イコライザ１１のパラメータ調整が完了したと判定して、補正完了通知を携帯電話端末１に出力する。一方、補正通知制御部２０６は、差分比較部２０４によって算出される音源参照データと録音データとの差分が、しきい値より大きい場合には、イコライザ１１のパラメータ調整が完了していないと判断して、再度パラメータ調整をするように携帯電話端末１に通知する。
【００２４】
次に、このように構成された音響特性調整システムの動作について説明する。図５は、本発明の実施の形態に係る音響特性調整システムの携帯電話端末１の動作を示すフローチャートである。はじめに、ユーザが携帯電話端末１の操作ボタン等を操作することにより、携帯電話端末１においてユーザからの音響特性補正の開始指示が受け付けられる（Ｓ３０１）。次に、マイク１０７による集音を開始することで、携帯電話端末１の周囲の雑音レベルを測定する（Ｓ３０２）。次に、周囲雑音レベル測定部１０９は、雑音レベルが既定のレベルを超えるか否か判定する（Ｓ３０３）。
【００２５】
周囲雑音レベル測定部１０９は、雑音レベルがしきい値を超えると（Ｓ３０３においてＮＯ）、ステップＳ３０２に戻って、再度雑音レベルの測定をする。なお、ステップＳ３０３において雑音レベルがしきい値を超えた場合には、ステップＳ３０２に戻る前に、ユーザに環境を変えるなど促すメッセージなどを表示部等に表示する。また、ステップＳ３０３において、雑音レベルがしきい値以下であれば（ＹＥＳ）、イコライザのパラメータが設定可能な環境であると判定して、ステップＳ３０４以降の処理を行う。
【００２６】
すなわち、携帯電話端末１は、音響特性補正サーバ２から音源参照データをダウンロードする（Ｓ３０４）。携帯電話端末１のスピーカー１０６により、音響特性補正サーバ２からダウンロードされた音源参照データを再生する。また、スピーカー１０６によって音源参照データが再生されている間、再生音のマイク１０７への回り込みを利用して、録音処理部１１０は、スピーカー１０６から出力された再生音を録音する（Ｓ３０５）。
【００２７】
録音処理部１１０は、録音された録音データを、音響特性補正サーバ２に送信する（Ｓ３０６）。音響特性補正サーバ２から設定データを受信したか否か判定する（Ｓ３０７）。音響特性補正サーバ２から設定データが受信されると（Ｓ３０７においてＹＥＳ）、イコライザ処理部１０３は、受信された設定データをイコライザ１１に設定する（Ｓ３０８）。イコライザ１１は、音響特性補正サーバ２から受信された音源参照データに対し、設定データにより調整された状態でイコライザ処理を施し再生処理を行う。また、再生処理を実行している間、再生音の録音を再び行う（Ｓ３０９）。
【００２８】
録音処理部１１０は、再生音を録音した録音データを音響特性補正サーバ２に再度送信する（Ｓ３１０）。音響特性補正サーバ２からパラメータの設定が完了したことを通知する補正完了通知を受信したか否か判定する（Ｓ３１１）。ステップＳ３１１において、補正完了通知を受信していない場合は（ＮＯ）、さらに、音響特性補正サーバ２から、再補正通知を受信したか否か判定する（Ｓ３１２）。再補正通知を受信していない場合は（Ｓ３１２においてＮＯ）、ステップＳ３１１に戻る。
【００２９】
一方、音響特性補正サーバ２から再補正通知を受信した場合は（Ｓ３１２においてＹＥＳ）、ステップＳ３０１のスタートに戻る。すなわち、音響特性補正サーバ２において検証された結果、適正範囲外と判断された場合には、再補正通知を受け取り（Ｓ３１２）、ステップＳ３０１に戻って再度周囲雑音レベルの測定から実施する。また、携帯電話端末１は、音響特性補正サーバ２から補正完了通知を受信すると（Ｓ３１１においてＹＥＳ）、一連の音響調整シーケンスを終了する。
【００３０】
次に、音響特性補正サーバ２の動作について説明する。図６は、本発明の実施の形態に係る音響特性補正サーバ２の動作を示すフローチャートである。はじめに、音響特性補正サーバ２の通信インタフェース２０１が、携帯電話端末１において録音された録音データを受信すると（Ｓ４０１）、受信された録音データはメモリ２０２に格納される。そして、差分比較部２０４は、メモリ２０２に格納された録音データと、メモリ２０３に格納された再生後音源参照データとを比較する（Ｓ４０２）。
【００３１】
イコライザパラメータ算出部２０５は、差分比較部２０４によって算出された録音データと再生後音源参照データの差分に基づいて、携帯電話端末１に適したイコライザ１１のパラメータを算出する（Ｓ４０３）。そして、イコライザ１１のパラメータを設定する情報を含む設定データを、携帯電話端末１に送信する（Ｓ４０４）。そして、携帯電話端末１から、調整後の録音データの受信を待ち（Ｓ４０５）、録音データが受信されれば（Ｓ４０５においてＹＥＳ）、差分比較部２０４は、再度録音データと再生後音源参照データのレベル差が既定範囲以内であるか検証する（Ｓ４０６）。
【００３２】
補正通知制御部２０６は、録音データと音源参照データのレベル差が既定範囲以内であれば（Ｓ４０６においてＹＥＳ）、イコライザ１１のパラメータ設定が完了したと判定し、携帯電話端末１に補正完了通知を送信する（Ｓ４０７）。一方、補正通知制御部２０６は、録音データと音源参照データのレベル差が既定範囲以内でなければ（Ｓ４０６においてＮＯ）、イコライザのパラメータ設定が完了していないと判断し、携帯電話端末１に再補正通知を送信する（Ｓ４０８）。
【００３３】
以上のように、本実施の形態１に係る音響特性調整システム１００によれば、ユーザが携帯電話端末１の筐体にデコレーションを施す等により、製品出荷後に携帯電話端末１の音響特性が変化した場合であっても、ユーザの音響調整を開始する操作をトリガとして、自動的にカスタマイズ後の筐体に適する音響特性となるように、イコライザ１１のパラメータを補正することが可能となる。
【００３４】
実施の形態２．
図７は、本発明の実施の形態２に係る携帯電話端末の構成を示す機能ブロック図である。上述のように、実施の形態１に係る音響特性調整システム１００では、携帯電話端末１と音響特性補正サーバ２が通信を行うことにより、イコライザ１１のパラメータを設定したが、実施の形態２では、音響特性補正サーバ２の機能を、携帯電話端末１が兼ねるように構成されている。
【００３５】
すなわち、実施の形態２に係る携帯電話端末１は、音響検証手段２１及び音響調整手段２２を備えている。なお、それぞれの機能については、実施の形態と略同一であるためその説明を省略する。
【００３６】
実施の形態２に係る携帯電話端末１では、音源参照データや再生後音源参照データをダウンロードやストリーミング等することにより、予めメモリに保持しておく。そして、ユーザが音響調整を開始させる操作を行なったことをトリガとして、音源参照データをスピーカー１０６によって再生する。そして、スピーカー１０６から出力された再生音を携帯電話端末１のマイクにより集音する。携帯電話端末１の音響検出手段２１により、録音データと再生後音源参照データとを比較する。そして、音響検出手段２１の検証結果に基づいて、音響調整手段２２がイコライザ１１のパラメータを設定する。これにより、携帯電話端末１の内部のみで音響特性補正サーバ２にアクセスすることなく、イコライザ１１のパラメータを設定することができる。
【００３７】
なお、本発明は上記実施の形態に限られたものではなく、趣旨を逸脱しない範囲で適宜変更することが可能である。例えば、上述の説明では、一連のイコライザのパラメータ設定処理は、移動通信端末１のユーザの操作により開始されているが、音響特性補正サーバのユーザ（音響特性補正サーバにインターネット通信網を介してアクセスするユーザも含む）の操作をトリガとして、パラメータ設定処理を開始するように構成することもできる。また、実施の形態１において、周囲の雑音レベルを測定する機能や、音源参照データを携帯電話端末１に再生させる機能は、音響特性補正サーバ２側に配置してもよい。
【符号の説明】
【００３８】
１    携帯電話端末
２    音響特性補正サーバ
３    移動通信網
４    公衆ＩＰ網
１００    音響特性調整システム
１０１    無線インタフェース
１０２    メモリ
１０３    イコライザ処理部
１０４    再生処理部
１０６    スピーカー
１０７    マイク
１０９    周囲雑音レベル測定部
１１０    録音処理部
１１１    メモリ
２０１    通信インタフェース
２０２、２０３    メモリ
２０４    差分比較部    
２０５    イコライザパラメータ算出部
２０６    補正通知制御部
【図１】
2012094958.tif 000003
【図２】
2012094958.tif 000004
【図３】
2012094958.tif 000005
【図４】
2012094958.tif 000006
【図５】
2012094958.tif 000007
【図６】
2012094958.tif 000008
【図７】
2012094958.tif 000009